(57)【特許請求の範囲】
【請求項１】
顧客の操作により投入された紙幣を1枚ずつ分離して繰出す分離繰出し機構および搬送された紙幣を集積する集積機構を有する接客部と、前記接客部の分離繰出し機構と紙幣を収納する入出金庫および前記接客部の集積機構とを結び、繰出された紙幣を搬送する紙幣搬送路と、前記紙幣搬送路上に正常な紙幣または異常な紙幣を鑑別する鑑別部とを備えた紙幣入出金機において、
前記鑑別部が、異常な紙幣と鑑別したとき、前記分離繰出し機構による分離して繰出す動作を停止させ、該紙幣を直接、接客部へ搬送させた後、該紙幣を顧客に返却または再び分離して繰出すようにしたことを特徴とする紙幣入出金機。
【請求項２】
請求項１の紙幣入出金機において、
前記接客部に投入されたすべての紙幣を繰出したことを検知する検知手段を設け、
前記検知手段が検知した回数が予め記憶部に記憶された限度回数を超えたとき、
前記鑑別部が異常な紙幣と鑑別した紙幣を顧客に返却するようにしたことを特徴とする紙幣入出金機。
【請求項３】
請求項２の紙幣入出金機において、
前記検知手段を、紙幣の存否を検知するセンサとしたことを特徴とする紙幣入出金機。
【請求項４】
請求項２の紙幣入出金機において、
前記検知手段を、前記鑑別部で読取った紙幣に印刷された番号が、既に読取られた番号と一致することを検知する手段としたことを特徴とする紙幣入出金機。
【請求項５】
請求項２の紙幣入出金機において、
前記検知手段を、前記鑑別部で読取った紙幣の汚損等の特徴が、既に読取られた特徴と一致することを検知する手段としたことを特徴とする紙幣入出金機。
【請求項６】
請求項１の紙幣入出金機において、
前記鑑別部が、汚損等の紙幣に起因する要因により異常な紙幣と鑑別したとき、該紙幣を含む異常な紙幣と鑑別された紙幣を顧客に返却するようにしたことを特徴とする紙幣入出金機。
【請求項７】
請求項１から請求項５または請求項６の紙幣入出金機において、
前記鑑別部が、異常な紙幣と鑑別したとき、前記接客部の集積機構により該紙幣を集積できるように紙幣搬送路の搬送速度を低速に変化させるようにしたことを特徴とする紙幣入出金機。
【請求項８】
請求項１から請求項６または請求項７の紙幣入出金機を搭載する自動取引装置において、
前記鑑別部で異常な紙幣と鑑別した回数を顧客操作表示盤に表示するようにしたことを特徴とする自動取引装置。
【請求項９】
請求項２から請求項５または請求項６の紙幣入出金機を搭載する自動取引装置において、
前記限度回数を超えた旨および該紙幣の交換を促す旨を顧客操作表示盤に表示するようにしたことを特徴とする自動取引装置。
【発明の詳細な説明】
【技術分野】
【０００１】
本発明は、自動取引装置等に搭載され、顧客の操作により紙幣の預入れや払出しを行なう紙幣入出金機に関し、特に、接客部に投入された紙幣を１枚ずつ取り込み、鑑別部で異常と判断された紙幣は接客部に返却する紙幣入出金機およびその紙幣入出金機を搭載した自動取引装置に関する。
【背景技術】
【０００２】
従来の紙幣入出金機は、顧客の操作により接客部に投入された紙幣を紙幣分離部で１枚ずつ分離して紙幣搬送路へ送り出し、紙幣搬送路上に設けられた鑑別部で正常と判定された紙幣は紙幣収納庫へ、異常と判定された紙幣は接客部へ搬送するようにしている。そして、接客部に搬送された紙幣、すなわち、鑑別部で異常と判定された紙幣を顧客へ返却するか、再度紙幣分離部で分離して紙幣搬送路へ送り出すようにしている。
【０００３】
このとき、鑑別部で異常と判定された紙幣を一時集積しておくステージを設け、接客部に投入された紙幣をすべて紙幣搬送路へ送り出し、鑑別部ですべての紙幣の鑑別を終了させた後、そのステージに集積された紙幣を紙幣投入口へ搬送するようにしているものがある（例えば、特許文献１参照）。
【特許文献１】特開平１１−１６０２３号公報（段落「００３８」、図７）
【発明の開示】
【発明が解決しようとする課題】
【０００４】
しかしながら、上述した従来の技術においては、鑑別部で異常と判定された紙幣を一時集積しておくステージを設ける必要があり、部品点数が増加するため製造費用が高くなってしまうという問題があり、また、信頼性が低下してしまうという問題がある。
特に、コンビニエンスストア等の店舗に設置される自動取引装置は小型化が要請されているところ、上述した紙幣入出金機を搭載する自動取引装置は大型化してしまうという問題がある。
【０００５】
本発明は、このような問題を解決することを課題とする。
【課題を解決するための手段】
【０００６】
そのため、本発明は、顧客の操作により投入された紙幣を1枚ずつ分離して繰出す分離繰出し機構および搬送された紙幣を集積する集積機構を有する接客部と、前記接客部の分離繰出し機構と紙幣を収納する入出金庫および前記接客部の集積機構とを結び、繰出された紙幣を搬送する紙幣搬送路と、前記紙幣搬送路上に正常な紙幣または異常な紙幣を鑑別する鑑別部とを備えた紙幣入出金機において、前記鑑別部が、異常な紙幣と鑑別したとき、前記分離繰出し機構による分離して繰出す動作を停止させ、該紙幣を直接、接客部へ搬送させた後、該紙幣を顧客に返却または再び分離して繰出すようにしたことを特徴とする。
【発明の効果】
【０００７】
このようにした本発明は、ステージ等の部品を採用する必要がないので製造費用を低く抑え、また、信頼性を向上させることができるという効果が得られる。さらに、紙幣入出金機を小型化することができるという効果が得られる。
【発明を実施するための最良の形態】
【０００８】
以下、図面を参照して本発明による紙幣入出金機の実施例を説明する。
【実施例】
【０００９】
まず、第１の実施例を説明する。
図１は第１の実施例における紙幣入出金機の構成を示すブロック図、図２は第１の実施例における自動取引装置の斜視図、図３は第１の実施例における紙幣入出金機の制御系の構成を示すブロック図である。
図２において、１は顧客の操作により入金や出金等の取引を行なう自動取引装置であり、その前面に顧客の操作を誘導する案内表示や顧客の操作を受け付ける顧客操作表示盤２、紙幣の受け渡しを行う紙幣入出金口３、カードの受け渡しを行うカード挿入排出口４および取引内容等を印刷した明細票を顧客へ発行する明細票排出口５を備えている。
【００１０】
７は自動取引装置１の筐体であり、１０は紙幣の入金および出金等を行う紙幣入出金機である。
この自動取引装置１は図示しないＣＰＵ等の演算および制御手段等で構成された主制御部やメモリ素子や磁気ディスク等で構成された記憶部を有し、顧客操作表示盤２、紙幣入出金機１０等を含めて自動取引装置１全体の動作をその記憶部に格納された制御プログラム（ソフトウェア）に基づいて制御する。
【００１１】
図１において、紙幣入出金機１０は、紙幣の入金処理、出金処理、補充処理および回収処理を行うものである。ここで、入金処理とは紙幣入出金機１０の紙幣受渡し口である紙幣入出金口３から投入された紙幣を繰出して計数等し、入出金庫へ収納する処理であり、出金処理とは、入出金庫に収納された紙幣を繰出して計数等し、後述する接客部へ集積させ、顧客へ払い出す処理である。
【００１２】
また、補充処理とは、後述する補充回収ボックスに装填等された紙幣を繰出して計数等し、入出金庫へ収納する処理であり、回収処理とは入出金庫に収納された紙幣を繰出して計数等し、補充回収ボックスへ収納させる処理である。
１１は接客部であり、顧客の操作により紙幣入出金口３から投入される紙幣を受付け、また、顧客へ出金する紙幣を集積し、顧客との間で紙幣の受渡しを行う部位である。投入された紙幣は後述する分離ローラ等の分離機構で１枚ずつ分離して繰り出すことができ、また、出金される紙幣を後述する集積ローラ等の集積機構で集積することができる。なお、この接客部１１の詳細は後述する。
【００１３】
１３は入出金庫であり、紙幣を収納するものである。この入出金庫１３は内部に配置されたステージが図示しない昇降機構により上下動し、集積機構により収納される紙幣はこのステージ上に集積される。また、収納された紙幣は入出金庫１３の上方に設けられた分離機構で１枚ずつ分離して繰り出すことができる。
この入出金庫１３は、本実施例では、それぞれ同一構造の入出金庫Ａ、入出金庫Ｂ、入出金庫Ｃおよび入出金庫Ｄの４つの入出金庫１３で構成され、図中右端より入出金庫Ａ、入出金庫Ｂ、入出金庫Ｃ、入出金庫Ｄの順に配置されているものとする。また、例えば、入出金庫Ａおよび入出金庫Ｂに万円券を収納し、入出金庫Ｃおよび入出金庫Ｄに千円券を収納するものとする。
【００１４】
１４は分離／集積機構であり、入出金庫１３の上方に入出金庫１３に収納された紙幣を１枚ずつ分離する分離ローラや分離された紙幣を繰出し、また、紙幣搬送路から搬送された紙幣をステージ上に集積させるためのフィードローラ等で構成されたものである。
この分離／集積機構１４はそれぞれの入出金庫１３に備えられているものとする。
１５は一時保留庫であり、顧客により接客部１１に投入された紙幣、すなわち、入金された紙幣を図示しない集積機構により一時的に貯留（集積）しておくものである。この一時保留庫１５は、顧客の操作により入金取引が成立する（入金金額が確認される）と貯留した入金紙幣等を分離ローラ等の分離機構１６で１枚ずつ分離して繰り出して入出金庫１３へ搬送して収納し、一方、顧客の操作により入金取引が取消された場合、貯留した入金紙幣等を分離ローラ機構１６等で１枚ずつ分離して繰り出して接客部１１へ返却することを可能にするためのものである。
【００１５】
１７は入出金リジェクト庫であり、出金処理において後述する鑑別部が損券や偽券等の出金に適さない等と鑑別した紙幣（以下、「リジェクト紙幣」という。）等を収納するものである。
１８は補充回収ボックスであり、取外し可能に構成され、入出金庫１３の紙幣を回収して収納し、また、係員等により外部から装填された紙幣を収納するものである。この補充回収ボックス１８は図示しない昇降可能なステージ上に紙幣を集積させる集積機構やステージ上の紙幣を分離する分離機構で構成される補充回収ボックス分離／集積機構１９が設けられ、その集積機構により入出金庫１３の紙幣を回収して収納し、また、その分離機構により回収等された紙幣を１枚ずつ分離して繰り出し、入出金庫１３へ補充する。
【００１６】
２０は補充回収リジェクト庫であり、補充処理および回収処理においてリジェクト紙幣を収納するものである。
なお、以下の説明において、補充回収ボックス１８、補充回収ボックス分離／集積機構１９、補充回収リジェクト庫２０等の補充処理および回収処理に関するものは本発明に直接関係しないのでその詳細な説明を省略する。
【００１７】
２１は紙幣搬送路であり、紙幣を挟持して搬送するベルトおよびローラ等で構成され、正逆双方向に搬送することができるものである。この紙幣搬送路２１は接客部１１の分離機構と接客部１１、入出金庫１３、入出金リジェクト庫１７および一時保留庫１５の集積機構とを結び、また、入出金庫１３の分離機構と接客部１１および一時保留庫１５の集積機構とを結び、一時保留庫１５の分離機構と入出金庫１３の集積機構等とを結ぶものである。
【００１８】
この紙幣搬送路２１の分岐点には図示しない切替ブレードが配置され、それを切り替えることにより紙幣の搬送先を変えることができ、また、この紙幣搬送路２１には適宜な間隔でセンサ等が配置され、紙幣の走行状態を感知することができる。
２２は鑑別部であり、接客部１１と入出金庫１３との間の紙幣搬送路２１上に配置されるものである。この鑑別部２２は光学式センサ等により通過する紙幣の画像データ等を取得し、その画像データ等と図示しない紙幣鑑別データベースに予め登録された画像データ等を照合して紙幣の真偽、金種等の鑑別および計数を行う。
【００１９】
ここで、入金処理において、鑑別部２２により、真正な紙幣でないと鑑別された紙幣（偽券）、紙幣の破損や汚染等していると鑑別された紙幣（損券）、複数の紙幣が重なり合っている（重走）と鑑別された紙幣、および斜行していると鑑別された紙幣等は入金リジェクト紙幣と鑑別されるものとする。
このように紙幣入出金機１０は、接客部１１、入出金庫１３、入出金リジェクトボックス１７、補充回収ボックス１８、補充回収リジェクトボックス２０、紙幣搬送路２１および鑑別部２２等で構成され、上述した入金処理、出金処理、補充処理および回収処理を行うものである。
【００２０】
図３において、３０は接客分離／集積部であり、接客部１１の分離機構および集積機構等を制御し、紙幣の分離繰出し動作および集積動作を行うものである。
３１は入出金庫Ａ分離／集積部であり、入出金庫Ａのステージ昇降機構、分離機構および集積機構等を制御し、紙幣の分離繰出し動作および集積動作を行うものである。
３２は入出金庫Ｂ分離／集積部、３３は入出金庫Ｃ分離／集積部、３４は入出金庫Ｄ分離／集積部であり、それぞれ入出金庫Ｂ、入出金庫Ｃおよび入出金庫Ｄのステージ昇降機構、分離機構および集積機構等を制御し、紙幣の分離繰出し動作および集積動作を行うものである。
【００２１】
３５は一時保留庫分離／集積部であり、一時保留庫１５の分離機構および集積機構等を制御し、紙幣の分離繰出し動作および集積動作を行うものである。
３６は補充回収ボックス分離／集積部であり、補充回収ボックス１８のステージ昇降機構、分離機構および集積機構等を制御し、紙幣の分離繰出し動作および集積動作を行うものである。
【００２２】
３７は搬送部であり、紙幣の搬送速度を任意に変更可能な図示しないモータ等の駆動手段により紙幣搬送路２１等を制御し、紙幣を搬送する動作を行うものである。なお、紙幣搬送路２１の分岐点には切替ブレードが設けられ、その切替ブレードを制御することで紙幣の搬送先を切り替えることができる。
３８は記憶部であり、半導体メモリ等で構成され情報を記憶し、記憶した情報を読取ることができるものである。この記憶部３８には紙幣入出金機１０全体の動作を制御する制御プログラム（ソフトウェア）や各種情報等を記憶する。
【００２３】
３９は制御部であり、ＣＰＵ等の演算および制御手段等で構成されたものである。この制御部３９は接客分離／集積部３０、入出金庫Ａ分離／集積部３１、入出金庫Ｂ分離／集積部３２、入出金庫Ｃ分離／集積部３３、入出金庫Ｄ分離／集積部３４、一時保留庫分離／集積部３５、補充回収ボックス分離／集積部３６、搬送部３７、鑑別部２２、記憶部３８および自動取引装置１の主制御部等との間で相互に通信を可能にする図示しない通信手段を含めて紙幣入出金機１０全体の動作を記憶部３８に格納された制御プログラム（ソフトウェア）に基づいて制御する。
【００２４】
次に、接客部１１を詳細に説明する。
図４は第１の実施例における紙幣投入または受取り時の接客部の左側断面の説明図、図５は第１の実施例における入金紙幣分離時の接客部の左側断面の説明図、図６は第１の実施例における出金紙幣集積時の接客部の左側断面の説明図である。なお、図４、図５および図６の図中右側が紙幣入出金機１０の前面側（以下、単に「前面側」という。）であり、図中左側が紙幣入出金機１０の後面側（以下、単に「後面側」という。）である。
【００２５】
図４において、４１は紙幣プール壁であり、側断面が略Ｌ字状に形成されたものである。この紙幣プール壁４１は紙幣を蓄積する空間である紙幣プール部４２の側面および底部を形成し、その紙幣プール部４２の側面は後面側の側面および左右の側面の三方向である。
なお、紙幣プール部４２の底部は投入された紙幣４５に混入された異物等を紙幣プール部４２から落下させることができるように、例えば、棒状の部材をはしご状に配置して形成されている。
【００２６】
また、紙幣プール部４２に投入された紙幣４５に混入された異物等を紙幣プール壁４１の底部から落下させ、それを貯留する異物回収箱が紙幣プール部４２の下方に設けられている。
さらに、紙幣プール部４２は投入される紙幣の短手方向が略鉛直方向に、長手方向が紙幣入出金機１０の前後方向に直交する水平方向になるように形成されている。
【００２７】
４３は紙幣入出金口シャッタであり、紙幣プール部４２と筐体７の間に配置され、紙幣プール部４２の蓋となるものである。この紙幣入出金口シャッタ４３は図示しない駆動手段が設けられており、開閉可能に形成され、顧客の操作により紙幣が投入されるとき、および顧客の操作により紙幣が受け取られるときは開けられ、それ以外のときは閉じられるものである。
【００２８】
４４はビルプレスであり、紙幣プール部４２の前面側の一側面を形成して投入された紙幣を受入れる空間を形成するものである。また、このビルプレス４４は図示しない回動可能なアームの自由端に軸止され、紙幣プール部４２に投入された紙幣４５を押圧して後述する繰出しローラに当接させるものでもある。
上述した紙幣プール壁４１およびビルプレス４４により紙幣プール部４２の底部および側面を形成し、また、図中上方が開口した紙幣プール部４２を形成する。
【００２９】
４６は支点であり、紙幣プール壁４１の左右両側面に設けられたものである。この４６を支点として、紙幣プール部４２を形成する紙幣プール壁４１等を図示しない駆動手段により回動させる。
紙幣を紙幣プール部４２へ投入する場合、および紙幣プール部４２の紙幣を受け取る場合、紙幣プール部４２の開口部が紙幣入出金口３と対向する位置（この位置を「紙幣投入受取り位置」という。）に回動させ、紙幣プール部４２へ投入された紙幣を繰出して入金する場合、および出金する紙幣を紙幣プール部４２に集積する場合、紙幣プール部４２の開口部が紙幣投入受取り位置から図中反時計回りに略９０度回転した位置（この位置を「入金紙幣分離位置」または「リジェクト紙幣集積位置」という。）に回動させる。
【００３０】
図５において、紙幣プール部４２の開口部が紙幣投入受取り位置から図中反時計回りに略９０度回転した入金紙幣分離位置に配置されている。
４７は繰出しローラであり、外周の一部が他の部分より摩擦係数の大きいゴム等の部材で形成されたものである。この繰出しローラ４７を図示しないモータ等の動力発生手段により図中時計回りに回転させてビルプレス４４により当接された紙幣４５を１枚ずつ分離して繰出すことができる。なお、紙幣プール壁４１の側面には図示しない孔が設けられており、紙幣プール壁４１を回動させることにより紙幣プール部４２に投入された紙幣４５は前記孔より突出した繰出しローラ４７に当接させることができる。
【００３１】
また、この繰出しローラ４７は紙幣４５の下面の先端部に当接するように配置されている。
４８はフィードローラであり、繰出しローラ４７により繰出される紙幣４５の繰出し方向近傍に配置され図示しない駆動手段により回転可能なものである。
４９はゲートローラであり、フィードローラ４８の周面と接触させて配置され、紙幣取込みゲートを形成するものである。フィードローラ４８を図中反時計回りに回転させ、繰出しローラ４７により分離され繰出された紙幣４５をフィードローラ４８とゲートローラ４９で形成された紙幣取り込みゲートから紙幣搬送路へ搬送する。
【００３２】
図６において、紙幣プール部４２の開口部が紙幣投入受取り位置から図中反時計回りに略９０度回転したリジェクト紙幣集積位置に配置されている。
５０は紙幣集積ローラであり、図示しないモータ等の動力発生手段により図中時計回りに回転させて紙幣を紙幣プール部４２へ送り出すものである。この紙幣集積ローラ５０の回転軸には紙幣プール部４２へ送り出した紙幣を上方から下方へ叩いて落下を促進させる弾性部材が設けられている。
【００３３】
この紙幣集積ローラ５０を図中時計方向に回転させ紙幣搬送路２１から搬送されたリジェクト紙幣を紙幣プール部４２へ集積させる。このリジェクト紙幣を紙幣プール部４２へ集積するとき、ビルプレス４４は紙幣が衝突しないように図示しない駆動手段により接客部１１の上部に退避させておくものとする。
５１は紙幣検知センサであり、光学式センサ等で構成され、紙幣プール部４２内に紙幣が存在するか否かを検知するためのものである。
【００３４】
上述したように紙幣プール壁４１、紙幣プール部４２、ビルプレス４４、繰出しローラ４７、フィードローラ４８、ゲートローラ４９および紙幣集積ローラ５０等で接客部１１を構成する。
上述した構成の作用について説明する。
【００３５】
図７は第１の実施例における入金処理を示すフローチャートであり、図中Ｓで表すステップにしたがって説明する。
なお、以下に説明する各部の動作は、図示しないメモリや磁気ディスク等の記憶手段に格納されたプログラム（ソフトウェア）に基づいて図示しない中央処理装置等の制御手段により制御される。
【００３６】
まず、顧客の操作により紙幣入出金口３から紙幣プール部４２に紙幣が投入され、入金処理を開始するものとする。
Ｓ１ａ：制御部３９の指示により接客分離／集積部３０は図５に示すように紙幣プール部４２を入金紙幣分離位置に回動させ、さらに、ビルプレス４４で紙幣４５を押圧して紙幣分離動作の準備を行う。
【００３７】
Ｓ２ａ：次に、制御部３９は紙幣検知センサ５１により紙幣プール部４２内に紙幣が存在するか否かを判定する。その判定の結果、紙幣が存在すると判定されると処理をＳ３ａに移行し、紙幣が存在しないと判定されると入金処理を終了する。
Ｓ３ａ：紙幣プール部４２内に紙幣が存在すると判定されると制御部３９の指示により接客分離／集積部３０は紙幣プール部４２内の紙幣を１枚分離し、紙幣搬送路２１へ送り出す動作を行う。分離され繰出された紙幣は図８の太線で示すように搬送部３７により紙幣搬送路２１を搬送され、鑑別部２２で鑑別が行われる。
【００３８】
Ｓ４ａ：鑑別部２２で行なわれた鑑別の結果、入金リジェクト紙幣と鑑別されると制御部３９はその回数（以下、「入金リジェクト回数」という。）を記憶部３８に累計して記憶させて処理をＳ５ａへ移行し、一方、入金リジェクト紙幣でないと鑑別されると、その紙幣は紙幣搬送路２１により一時保留庫１５へ搬送されるとともに処理をＳ２ａへ移行し、紙幣の分離を継続させる。
【００３９】
ここで、入金リジェクト回数は制御部３９により入金処理を開始するとき、すなわち、Ｓ１ａの分離動作の準備を行なう前に“０”に初期化されるものとする。
Ｓ５ａ：入金リジェクト紙幣と鑑別されると制御部３９の指示により接客分離／集積部３０はビルプレス４４を退避させ、入金リジェクト紙幣と鑑別された紙幣を紙幣プール部４２に集積させる準備を行なう。なお、この準備の動作を行っている間も入金リジェクト紙幣は紙幣搬送路２１により搬送されているものとする。また、接客分離／集積部３０は紙幣プール部４２内の紙幣を分離する動作を停止しているものとする。
【００４０】
Ｓ６ａ：紙幣搬送路２１により搬送された入金リジェクト紙幣は制御部３９の指示を受けた接客分離／集積部３０により紙幣プール部４２に集積される。
ここで、図８において、２３は鑑別終了位置であり、鑑別部２２による鑑別が終了したときに紙幣搬送路２１で搬送された紙幣が到達する位置を示したものである。
Ｓ６ａにおいて、接客分離／集積部３０によりビルプレス４４が退避されるまでの時間をＴＢ（ミリ秒）、入金リジェクト紙幣が鑑別終了位置２３から紙幣プール部４２へ搬送されて集積するまでの時間をＴＣ（ミリ秒）とするとＴＢ＜ＴＣの条件を満足するようにビルプレス４４の動作時間および紙幣搬送路２１の搬送速度が設定されているものとする。
【００４１】
また、鑑別終了位置２３から紙幣プール部４２までの紙幣搬送路が短い場合等は入金リジェクト紙幣と鑑別されたときから紙幣を紙幣入金プール部４２へ集積させるまでの間、ＴＢ＜ＴＣの条件を満足するように搬送部３７により紙幣搬送路２１の搬送速度を低速に切り替えるようにしてもよい。
Ｓ７ａ：入金リジェクト紙幣を紙幣プール部４２に集積すると制御部３９は累計された入金リジェクト回数と記憶部３８に予め記憶された入金リジェクト限度回数とを比較し、入金リジェクト回数が入金リジェクト限度回数を超えたか否かを判定する。
【００４２】
その判定の結果、入金リジェクト回数が入金リジェクト限度回数を超えていないと判定されると処理をＳ１ａへ移行し、分離動作を継続する。このようにして入金リジェクト紙幣と鑑別された紙幣を紙幣入金プール部４２へ集積させ、再度、分離して繰出し、紙幣搬送路２１で搬送して鑑別部２２で鑑別する入金処理を行う。
一方、入金リジェクト回数が入金リジェクト限度回数を超えたと判定されると処理をＳ８ａへ移行する。
【００４３】
なお、入金リジェクト限度回数は自動取引装置１の主制御部等の上位装置から受信して任意の数値に設定することができるものである。
Ｓ８ａ：入金リジェクト回数が入金リジェクト限度回数を超えたと判定されると制御部３９は自動取引装置１の主制御部へその旨を通知する。通知を受けた自動取引装置１の主制御部は図９に示すリジェクト紙幣発生報知画面６０を顧客操作表示盤２に表示させる。また、このとき、紙幣入出金機１０の制御部３９は紙幣入出金口シャッタ４３を開放して顧客が紙幣プール部４２内の紙幣を取り出すことができるようにする。
【００４４】
このリジェクト紙幣発生報知画面６０は、例えば、入金リジェクト限度回数を５回とした場合、「投入されました紙幣の中に、お預りできない紙幣があります  特に、手前から５枚を確認して、よろしければ再投入してください。  取消しをご希望の場合には取り消しボタンを押してください（紙幣を返却いたします）」等の文言および紙幣を返却させる取消ボタン６１で構成されたものである。
【００４５】
このようにリジェクト紙幣発生報知画面６０を顧客操作表示盤２に表示し、顧客に入金リジェクト紙幣が発生したことを知らせ、その入金リジェクト紙幣の再投入またはすべての紙幣の返却を選択するように促す。
顧客操作表示盤２に表示されたリジェクト紙幣発生報知画面６０を確認した顧客は紙幣入出金機１０の前面側に集積された入金リジェクト紙幣に折れや破れ等の不具合がないか確認し、修正可能な不具合を修正して紙幣プール部４２に再投入して入金処理を継続させること、または、取消ボタン６１を押下して既に紙幣入出金機１０内に取り込まれた紙幣を含めてすべての紙幣を返却することを指示する。
【００４６】
Ｓ９ａ：制御部３９は顧客による紙幣の再投入を待機する。このとき、自動取引装置１の主制御部が取消ボタン６１の押下を検知するとその主制御部は紙幣入出金機１０へ紙幣の再投入を待機することを中止する指示とともにすべての紙幣を返却する指示を通知する。その通知を受けると処理をＳ１１ａへ移行し、一方、紙幣の再投入を紙幣検知センサ５１により検知すると処理をＳ１０ａへ移行する。
【００４７】
Ｓ１０ａ：紙幣の再投入を検知した制御部３９は紙幣入出金口シャッタ４３を閉じて処理をＳ１ａへ移行し、再投入された紙幣を分離して繰出し、紙幣搬送路２１で搬送して鑑別部２２で鑑別する入金処理を行う。
Ｓ１１ａ：紙幣の再投入を待機することを中止する指示とともにすべての紙幣を返却する指示を受けた制御部３９は紙幣入出金口シャッタ４３を閉じ、一時保留庫１５に集積されたすべての紙幣を紙幣プール部４２に集積させた後、紙幣入出金口シャッタ４３を開放して紙幣を顧客へ返却して入金処理を終了する。
【００４８】
以上説明したように、第１の実施例では、鑑別部で異常な紙幣と鑑別された紙幣を停止させることなく紙幣入金プール部へ集積させるようにしたため、ステージ等の部品を採用する必要がないので製造費用を低く抑え、また、信頼性を向上させることができるという効果が得られる。さらに、紙幣入出金機を小型化することができるという効果が得られる。
次に、第２の実施例を説明する。
【００４９】
なお、第２の実施例の構成は上述した第１の実施例の構成と同様なので、同一の符号を付してその説明を省略する。
第２の実施例の構成の作用について説明する。
図１０は第２の実施例における入金処理を示すフローチャートであり、図中Ｓで表すステップにしたがって説明する。
【００５０】
なお、以下に説明する各部の動作は、図示しないメモリや磁気ディスク等の記憶手段に格納されたプログラム（ソフトウェア）に基づいて図示しない中央処理装置等の制御手段により制御される。
まず、顧客の操作により紙幣入出金口３から紙幣プール部４２に紙幣が投入され、入金処理を開始するものとする。
【００５１】
Ｓ１ｂ〜Ｓ６ｂ：図７におけるＳ１ａ〜Ｓ６ａと同様なので説明を省略する。
Ｓ７ｂ：入金リジェクト紙幣を紙幣プール部４２に集積すると制御部３９は紙幣プール部４２内のすべての紙幣が分離、繰り出されたか否かを判定する。
この紙幣プール部４２内のすべての紙幣が分離されたか否かの判定は、Ｓ３ｂにおける紙幣の分離動作の後、紙幣検知センサ５１により紙幣プール部４２内の紙幣の存否を確認することにより行い、存在しないことが確認されるとすべての紙幣が分離、繰り出されたと判定する。
【００５２】
また、紙幣に印刷された番号を鑑別部２２で読み取り、同一の番号が印刷された紙幣を検知するとすべての紙幣が分離、繰り出されたと判定するようにしてもよい。
さらに、紙幣の破れや汚損等の特徴を鑑別部２２で読取り、同一の特徴を有する紙幣を検知するとすべての紙幣が分離、繰り出されたと判定するようにしてもよい。
上述した判定により、紙幣プール部４２内のすべての紙幣が分離されたと判定されると制御部３９は記憶部３８に記憶された紙幣プール部４２内のすべての紙幣を一通り分離、繰り出された回数（以下、「再分離回数」という。）を１加算し、処理をＳ８ｂへ移行し、一方、すべての紙幣が分離、繰り出されていないと判定されると処理をＳ９ｂへ移行する。
【００５３】
Ｓ８ｂ：紙幣プール部４２内のすべての紙幣が分離、繰り出されたと判定されると制御部３９は予め記憶部３８に記憶された再分離限度回数とＳ７ｂにおいて加算された再分離回数を比較し、再分離回数が再分離限度回数を超えたか否かを判定する。
なお、再分離限度回数は自動取引装置１の主制御部等の上位装置から受信して任意の数値に設定することができるものである。
【００５４】
上述した判定により、再分離回数が再分離限度回数を超えていないと判定されると処理をＳ９ｂへ移行し、再分離回数が再分離限度回数を超えていると判定されると処理をＳ１４ｂへ移行する。
Ｓ９ｂ：再分離回数が再分離限度回数を超えていないと判定されると制御部３９は累計された入金リジェクト回数と記憶部３８に予め記憶された入金リジェクト限度回数とを比較し、入金リジェクト回数が入金リジェクト限度回数を超えたか否かを判定する。
【００５５】
その判定の結果、入金リジェクト回数が入金リジェクト限度回数を超えていないと判定されると処理をＳ１ｂへ移行し、分離動作を継続する。このようにして入金リジェクト紙幣と鑑別された紙幣を紙幣入金プール部４２へ集積させ、再度、分離して繰出し、紙幣搬送路２１で搬送して鑑別部２２で鑑別する入金処理を行う。
一方、入金リジェクト回数が入金リジェクト限度回数を超えたと判定されると処理をＳ１０ｂへ移行する。
【００５６】
なお、入金リジェクト限度回数は自動取引装置１の主制御部等の上位装置から受信して任意の数値に設定することができるものである。
Ｓ１０ｂ〜Ｓ１３ｂ：図７におけるＳ８ａ〜Ｓ１１ａと同様なので説明を省略する。
Ｓ１４ｂ：Ｓ８ｂにおいて再分離回数が再分離限度回数を超えていると判定されると自動取引装置１の主制御部は図１１に示すリジェクト紙幣発生報知画面６２を顧客操作表示盤２に表示させる。また、このとき、紙幣入出金機１０の制御部３９は紙幣入出金口シャッタ４３を開放して顧客が紙幣プール部４２内の紙幣を取り出すことができるようにする。
【００５７】
このリジェクト紙幣発生報知画面６２は、例えば、再分離限度回数を２回とした場合、「投入されました紙幣の中に、お預りできない紙幣があります  二度の確認を行ないましたがお預りできませんので、紙幣を交換してください  取消しをご希望の場合には取り消しボタンを押してください（紙幣を返却いたします）  このままでよろしければ確認ボタンを押してください（紙幣をお預りいたします）」等の文言および紙幣を返却させる取消ボタン６３、返却されていない紙幣の入金処理を行なう確認ボタン６４で構成されたものである。
【００５８】
このようにリジェクト紙幣発生報知画面を顧客操作表示盤２に表示し、顧客に入金リジェクト紙幣が発生したことを知らせ、その入金リジェクト紙幣の交換、すべての紙幣の返却または返却されていない紙幣の入金処理を選択するように促す。
顧客操作表示盤２に表示されたリジェクト紙幣発生報知画面６２を確認した顧客は紙幣プール部４２に集積された入金リジェクト紙幣に替えて別の紙幣を紙幣プール部４２に再投入してさらに入金処理を継続させること、取消ボタン６１を押下して既に紙幣入出金機１０内に取り込まれた紙幣を含めてすべての紙幣を返却すること、または確認ボタン６４を押下して既に紙幣入出金機１０内に取り込まれた紙幣だけを収納することを指示する。
【００５９】
Ｓ１５ｂ、Ｓ１６ｂ：制御部３９は顧客による紙幣の再投入を待機する。このとき、自動取引装置１の主制御部が取消ボタン６３または確認ボタン６４の押下を検知するとその主制御部は紙幣入出金機１０へ紙幣の再投入を待機することを中止する指示とともに取消ボタン６３の押下を検知した場合、すべての紙幣を返却する指示、確認ボタン６４の押下を検知した場合、一時保留庫１５に集積された紙幣を入出金庫１３に収納する指示を通知する。そのすべての紙幣を返却する指示の通知を受けると処理をＳ１３ｂへ移行し、一時保留庫１５に集積された紙幣を入出金庫１３に収納する指示の通知を受けると処理をＳ１７ｂへ移行する。一方、紙幣の再投入を紙幣検知センサ５１により検知すると処理をＳ１２ｂへ移行する。
【００６０】
Ｓ１７ｂ：一時保留庫１５に集積された紙幣を入出金庫１３に収納する指示の通知を受けると制御部３９は紙幣入出金口シャッタ４３を閉じ、制御部３９の指示により一時保留庫分離／集積部３５は一時保留庫１５に集積された紙幣を１枚ずつ分離して繰出し、入出金庫１３へ搬送し、入出金庫Ａ分離／集積部等はその搬送された紙幣を入出金庫１３に収納して入金処理を終了する。
【００６１】
なお、本実施例では、再分離限度回数は自動取引装置１の主制御部等の上位装置から受信して任意の数値を記憶部３８に設定できるようにしたが、Ｓ７ｂにおいてすべての紙幣が分離、繰り出されたことを検知してその結果を自動取引装置１の主制御部等の上位装置へ通知し、再分離回数が再分離限度回数を超えたか否かをその主制御部が判断するようにしてもよい。
【００６２】
以上説明したように、第２の実施例では、第１の実施例の効果に加え、入金処理時間を短縮することができるという効果が得られる。
次に、第３の実施例を説明する。
なお、第３の実施例の構成は上述した第１の実施例の構成と同様なので、同一の符号を付してその説明を省略する。
【００６３】
第３の実施例の構成の作用について説明する。
図１２は第３の実施例における入金処理を示すフローチャートであり、図中Ｓで表すステップにしたがって説明する。
なお、以下に説明する各部の動作は、図示しないメモリや磁気ディスク等の記憶手段に格納されたプログラム（ソフトウェア）に基づいて図示しない中央処理装置等の制御手段により制御される。
【００６４】
まず、顧客の操作により紙幣入出金口３から紙幣プール部４２に紙幣が投入され、入金処理を開始するものとする。
Ｓ１ｃ〜Ｓ６ｃ：図７におけるＳ１ａ〜Ｓ６ａと同様なので説明を省略する。
Ｓ７ｃ：入金リジェクト紙幣を紙幣プール部に集積すると制御部３９は鑑別部２２がリジェクト紙幣であると鑑別した要因が損券や偽券等の紙幣に起因する要因であるか否かを判定する。
【００６５】
その判定の結果、紙幣に起因する要因であると判定されると、再度、紙幣を分離して繰出すようにしても鑑別部２２がリジェクト紙幣であると鑑別する可能性が高いため処理をＳ９ｃへ移行する。
一方、紙幣に起因する要因でない、例えば、紙幣の斜行、紙幣の重走等、と判定されると、再度、紙幣を分離して繰出すようにすれば鑑別部２２がリジェクト紙幣でないと鑑別する可能性が高いため処理をＳ８ｃへ移行する。
【００６６】
Ｓ８ｃ〜Ｓ１２ｃ：図７におけるＳ７ａ〜Ｓ１１ａと同様なので説明を省略する。
以上説明したように、第３の実施例では、第１の実施例の効果に加え、入金処理時間を短縮することができるという効果が得られる。
【図面の簡単な説明】
【００６７】
【図１】第１の実施例における紙幣入出金機の構成を示すブロック図
【図２】第１の実施例における自動取引装置の斜視図
【図３】第１の実施例における紙幣入出金機の制御系の構成を示すブロック
【図４】第１の実施例における紙幣投入または受取り時の接客部の左側断面の説明図
【図５】第１の実施例における入金紙幣分離時の接客部の左側断面の説明図
【図６】第１の実施例における出金紙幣集積時の接客部の左側断面の説明図
【図７】第１の実施例における入金処理を示すフローチャート
【図８】第１の実施例における入金処理時の紙幣搬送路の説明図
【図９】第１の実施例におけるリジェクト紙幣発生報知画面の説明図
【図１０】第２の実施例における入金処理を示すフローチャート
【図１１】第２の実施例におけるリジェクト紙幣発生報知画面の説明図
【図１２】第３の実施例における入金処理を示すフローチャート
【符号の説明】
【００６８】
１    自動取引装置
２    顧客操作表示盤
３    紙幣入出金口
４    カード挿入排出口
５    明細票排出口
７    筐体
１０  紙幣入出金機
１１  接客部
１２、１６  分離ローラ機構
１３  入出金庫
１４  分離／集積機構
１５  一時保留庫
１７  入出金リジェクト庫
１８  補充回収ボックス
１９  補充回収ボックス分離／集積機構
２０  補充回収リジェクト庫
２１  紙幣搬送路
２２  鑑別部
３０  接客分離／集積部
３１  入出金庫Ａ分離／集積部
３２  入出金庫Ｂ分離／集積部
３３  入出金庫Ｃ分離／集積部
３４  入出金庫Ｄ分離／集積部
３５  一時保留庫分離／集積部
３７  搬送部
３８  記憶部
３９  制御部
４１  紙幣プール壁
４２  紙幣プール部
４３  紙幣入出金口シャッタ
４４  ビルプレス
４５  紙幣
４６  支点
４７  繰出しローラ
４８  フィードローラ
４９  ゲートローラ
５０  紙幣集積ローラ
５１  紙幣検知センサ
【図１】
0004839896.tif 000002
【図２】
0004839896.tif 000003
【図３】
0004839896.tif 000004
【図４】
0004839896.tif 000005
【図５】
0004839896.tif 000006
【図６】
0004839896.tif 000007
【図７】
0004839896.tif 000008
【図８】
0004839896.tif 000009
【図９】
0004839896.tif 000010
【図１０】
0004839896.tif 000011
【図１１】
0004839896.tif 000012
【図１２】
0004839896.tif 000013